【手続補正書】
【提出日】平成31年3月25日(2019.3.25)
【手続補正１】
【補正対象書類名】特許請求の範囲
【補正対象項目名】全文
【補正方法】変更
【補正の内容】
【特許請求の範囲】
【請求項１】
第１のノードにおける通信の方法であって、
第２のノードから受信されたパケットがクエリパケットであるか応答であるかを示すタイプ情報を含む前記パケットを受信することと、
前記タイプ情報に基づいて、前記受信されたパケットがクエリパケットであることを決定することと、前記クエリパケットが、少なくともトランザクション識別子を示す情報を含み、前記トランザクション識別子が、前記第１および第２のノードの局所近傍内で進行中のクエリ−応答トランザクションを一意に識別する値である、
前記クエリパケットに含まれる前記タイプ情報に基づいてトランザクションタイプを決定することと、前記クエリパケットに含んでいる前記タイプ情報は、クエリパケットが応答を、１つのターゲットのノードに要求するのか、１組のノードのうちの任意のノードに要求するのか、Ｎ個のノードのうちの任意のＭ個のノードに要求するのか、ここにおいて、ＮはＭよりも大きい、または１組のターゲットのノードの各ノードに要求するのか、をさらに示す、
前記トランザクションタイプまたはトランザクション識別子のうちの少なくとも１つに基づいて応答パケットを送信するかどうかを決定することと、
前記応答を送信することを決定したことに応答して前記第２のノードに応答パケットを送信することと
を備える方法。
【請求項２】
少なくとも前記トランザクションタイプに基づいて前記クエリパケットに応答して応答パケットの送信を抑制するかどうかを決定することを備える請求項１に記載の方法。
【請求項３】
前記応答パケットを送信するかどうかの前記決定が、物理（ＰＨＹ）層、媒体アクセス制御（ＭＡＣ）層、またはリンク層のうちの少なくとも１つにおいて実行される、請求項１に記載の方法。
【請求項４】
前記パケットがクエリであるか応答であるかを示すパケットタイプ情報を前記タイプ情報が含む、請求項１に記載の方法。
【請求項５】
前記クエリパケットがアドレスをさらに含み、前記第１のノードが、前記クエリパケットがあるノードに応答を要求し、前記アドレスが前記第１のノードに関連付けられていることを前記トランザクションタイプが示すときに前記応答パケットを送信することを決定する、請求項１に記載の方法。
【請求項６】
ｉ）前記クエリパケットが、トランザクション識別子をさらに含み、前記クエリパケットが１組のノードのうちの任意のノードに応答を要求することを前記トランザクションタイプが示し、
前記方法が、
応答パケット内のトランザクション識別子が前記クエリパケット内の前記トランザクション識別子と一致するかどうかに基づいて、前記第２のノードからの前記クエリパケットに応答して、前記応答パケットが別のノードによって送信されるかどうかを決定すること、
ここにおいて、前記第１のノードが、前記クエリパケットに応答して応答パケットが前記別のノードによって送信されると決定したことに応答して、前記応答パケットの前記送信を抑制することを決定する、
ここにおいて、前記第１のノードが、前記クエリパケットに応答して応答パケットが前記別のノードによって送信されないと決定したことに応答して、前記応答パケットを送信することを決定する、
を備える、
ｉｉ）前記クエリパケットが、トランザクション識別子をさらに含み、前記クエリパケットがＮ個のノードのうちの任意のＭ個のノードに応答を要求することを前記トランザクションタイプが示す、
ここにおいて、前記方法が、
前記応答パケットの各々の中のトランザクション識別子が前記クエリパケット内の前記トランザクション識別子と一致するかどうかに基づいて、前記第２のノードからの前記クエリパケットに応答して、Ｍ個の応答パケットが前記Ｎ個のノードのうちのＭ個のノードによって送信されるかどうかを決定すること、ここにおいて、前記Ｍ個の応答パケットが、互いに区別される、
ここにおいて、前記第１のノードが、前記クエリパケットに応答してＭ個の応答パケットが前記Ｍ個のノードによって送信されると決定したことに応答して、前記応答パケットの前記送信を抑制することを決定する、
ここにおいて、前記第１のノードが、前記クエリパケットに応答して応答パケットが前記Ｎ個のノードのうちのＭ個未満のノードによって送信されると決定したことに応答して、前記応答パケットを送信することを決定する、
をさらに備える、または
ｉｉｉ）前記クエリパケットがアドレスをさらに含み、前記第１のノードが、前記クエリパケットが１組のノードの各ノードに応答を要求することを前記トランザクションタイプが示すとき、前記応答パケットを送信することを決定する、ここで、前記アドレスが、前記１組のノードを示し、前記第１のノードが、前記１組のノード内にある、
のうちの１つを備える、請求項１に記載の方法。
【請求項７】
ｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、または
ｉｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、
のうちの１つを備える、請求項６に記載の方法。
【請求項８】
ｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、または
ｉｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、
のうちの１つを備える、請求項６に記載の方法。
【請求項９】
第１のノードにおける通信の方法であって、
上位層から、および物理（ＰＨＹ）層、媒体アクセス制御（ＭＡＣ）層、またはリンク層のうちの少なくとも１つにおいて、トランザクションタイプと、前記トランザクションタイプに関連付けられたデータとを受信することと、
前記データについてのトランザクション識別子を取得することと、
前記ＰＨＹ層、前記ＭＡＣ層、または前記リンク層のうちの前記１つにおいて、前記トランザクションタイプ、前記データ、パケットタイプ、および前記トランザクション識別子を含むようにクエリパケットを準備することと、ここにおいて、前記パケットタイプが、前記クエリパケットがクエリであることを示し、ここにおいて、前記トランザクションタイプが、（ａ）前記クエリパケットが１つのノードに応答を要求する、（ｂ）前記クエリパケットが１組のノードのうちの任意のノードに応答を要求する、（ｃ）前記クエリパケットが、Ｎ個のノードのうちの任意のＭ個のノードに応答を要求する、ここで、ＮがＭよりも大きい、または（ｄ）前記クエリパケットが１組のノードの各ノードに応答を要求する、のうちの１つを示す、
前記クエリパケットを送信することと
を備える、方法。
【請求項１０】
ｉ）前記上位層からの前記クエリパケットが、前記トランザクションタイプおよび前記パケットタイプを含み、前記トランザクション識別子が、前記ＰＨＹ層、前記ＭＡＣ層、または前記リンク層において取得される、または
ｉｉ）前記方法は、少なくとも１つの第２のノードからの前記クエリパケットに応答して、少なくとも１つの応答パケットを受信することをさらに含み、前記少なくとも１つの応答パケットの各々が前記トランザクション識別子を含む、
のうちの１つを備える、請求項９に記載の方法。
【請求項１１】
第１のノードにおける通信の方法であって、
第２のノードからクエリパケットを受信することと、ここにおいて、前記クエリパケットが、
前記クエリパケットが関連付けられている第１のトランザクションの指示と、
前記第１のトランザクションに関連付けられたＭ個の応答パケットが前記第２のノードによって要求されたことの指示と、Ｍは０よりも大きい整数である、
チャネル上で前記Ｍ個の応答パケットを前記第２のノードに送信するために割り振られた時間期間の指示と、前記時間期間は、前記チャネルが前記Ｍ個の応答パケットを前記第２のノードに送信するために予約される持続時間を示す、
前記示された時間期間内で少なくともＭ個のタイムスロットを割り振るために使用されるチャネル割当て機構または競合機構のうちの少なくとも１つの指示と、を含む、
競合機構またはチャネル割当て機構のうちの前記示された少なくとも１つに従ってチャネルにアクセスするための前記示された時間期間に割り振られた前記少なくともＭ個のタイムスロットから第１のタイムスロットを取得することと、
前記第１のタイムスロットにおいて、前記第１のトランザクションに関連付けられた前記Ｍ個の応答パケットのうちの第１の応答パケットを前記チャネル上で前記第２のノードに送信することと
を備える、方法。
【請求項１２】
ｉ）前記Ｍ個の応答パケットの各々が、前記Ｍ個の応答パケットの残りの識別ＩＤと区別するそれぞれの識別ＩＤを含む、
ｉｉ）前記チャネル割当て機構が、前記少なくともＭ個のタイムスロットの割振りを拡散する拡散機構であり、前記第１のタイムスロットが、前記拡散機構に従って取得される、
ｉｉｉ）前記第１のタイムスロットが、前記第１のノードが他のノードと前記少なくともＭ個のタイムスロットのうちの１つのタイムスロットについて競合する前記競合機構に従って取得され、前記方法が、
別のノードから前記第２のノードへの前記第１のトランザクションに関連付けられた前記Ｍ個の応答パケットの第２の応答パケットの送信を検出することと、
前記第１のタイムスロットを取得するために前記第２の応答パケットの前記送信に続く前記少なくともＭ個のタイムスロットのうちの１つのタイムスロットを決定することと
をさらに備える、
ｉｖ）前記第１のタイムスロットが、物理（ＰＨＹ）層、媒体アクセス制御（ＭＡＣ）層、またはリンク層において取得される、または
ｖ）前記方法は、前記チャネルが前記第１のタイムスロットで利用可能であると決定することをさらに備える、
のうちの１つを備える、請求項１１に記載の方法。
【請求項１３】
通信のための装置であって、前記装置が第１のノードであって、
メモリと、
前記メモリに結合された少なくとも１つのプロセッサと
を備え、前記少なくとも１つのプロセッサが、
第２のノードから受信されたパケットがクエリパケットであるか応答であるかを示すタイプ情報を含む前記パケットを受信し、
前記タイプ情報に基づいて、前記受信されたパケットがクエリパケットであることを決定し、前記クエリパケットが、少なくともトランザクション識別子を示す情報を含み、前記トランザクション識別子が、前記第１および第２のノードの局所近傍内で進行中のクエリ−応答トランザクションを一意に識別する値である、
前記クエリパケットに含まれる前記タイプ情報に基づいてトランザクションタイプを決定し、前記クエリパケットに含まれる前記タイプ情報は、クエリパケットが応答を、１つのターゲットのノードに要求するのか、１組のノードのうちの任意のノードに要求するのか、Ｎ個のノードのうちの任意のＭ個のノードに要求するのか、ここで、ＮはＭよりも大きい、または１組のターゲットのノードの各ノードに要求するのか、をさらに示す、
物理（ＰＨＹ）層、媒体アクセス制御（ＭＡＣ）層、またはリンク層のうちの少なくとも１つにおいて、前記トランザクションタイプまたはトランザクション識別子のうちの少なくとも１つに基づいて応答パケットを送信するかどうかを決定し、
前記応答を送信することを決定したことに応答して前記第２のノードに応答パケットを送信する
ように構成される、
装置。
【請求項１４】
ｉ）前記クエリパケットがアドレスをさらに含み、前記少なくとも１つのプロセッサが、前記クエリパケットがあるノードに応答を要求し、前記アドレスが前記第１のノードに関連付けられていることを前記トランザクションタイプが示すときに前記応答パケットを送信することを決定するようにさらに構成される、
ｉｉ）前記クエリパケットが、トランザクション識別子をさらに含み、前記クエリパケットが１組のノードのうちの任意のノードに応答を要求することを前記トランザクションタイプが示し、前記少なくとも１つのプロセッサが、
前記応答パケット内のトランザクション識別子が前記クエリパケット内の前記トランザクション識別子と一致するかどうかに基づいて、前記第２のノードからの前記クエリパケットに応答して、応答パケットが別のノードによって送信されるかどうかを決定し、
前記クエリパケットに応答して応答パケットが前記別のノードによって送信されると決定したことに応答して、前記応答パケットの前記送信を抑制することを決定し、
前記クエリパケットに応答して応答パケットが前記別のノードによって送信されないと決定したことに応答して、前記応答パケットを送信することを決定する
ようにさらに構成される、
ｉｉｉ）前記クエリパケットが、トランザクション識別子をさらに含み、前記クエリパケットがＮ個のノードのうちの任意のＭ個のノードに応答を要求することを前記トランザクションタイプが示す、
ここにおいて、前記少なくとも１つのプロセッサが、
前記応答パケットの各々の中のトランザクション識別子が前記クエリパケット内の前記トランザクション識別子と一致するかどうかに基づいて、前記第２のノードからの前記クエリパケットに応答して、Ｍ個の応答パケットが前記Ｎ個のノードのうちのＭ個のノードによって送信されるかどうかを決定し、ここにおいて、前記Ｍ個の応答パケットが、互いに区別される、
前記クエリパケットに応答してＭ個の応答パケットが前記Ｍ個のノードによって送信されると決定したことに応答して、前記応答パケットの前記送信を抑制することを決定し、
前記クエリパケットに応答して応答パケットが前記Ｎ個のノードのうちのＭ個未満のノードによって送信されると決定したことに応答して、前記応答パケットを送信することを決定する
ようにさらに構成される、または
ｉｖ）前記クエリパケットがアドレスをさらに含み、前記少なくとも１つのプロセッサが、前記クエリパケットが１組のノードの各ノードに応答を要求することを前記トランザクションタイプが示すとき、前記応答パケットを送信することを決定するようにさらに構成され、ここで、前記アドレスが前記１組のノードを示し、前記第１のノードが前記１組のノード内にある、
のうちの１つを備える、請求項１３に記載の装置。
【請求項１５】
ｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、
ｉｉ）前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、
のうちの１つを備える、請求項１４のオプションｉｉｉ）に記載の装置。
【手続補正２】
【補正対象書類名】明細書
【補正対象項目名】０１４１
【補正方法】変更
【補正の内容】
【０１４１】
[00154]前の説明は、いかなる当業者も本明細書に記載された様々な態様を実践することを可能にするために提供される。これらの態様に対する様々な修正は当業者には容易に明らかであり、本明細書において規定された一般的原理は他の態様に適用される場合がある。したがって、特許請求の範囲は、本明細書に示された態様に限定されるものではなく、クレーム文言に矛盾しない最大の範囲を与えられるべきであり、単数形の要素への言及は、そのように明記されていない限り、「唯一無二の」を意味するものではなく、「１つまたは複数の」を意味するものである。「例示的」という単語は、本明細書では例、事例、または例示の働きをすることを意味するために使用される。本明細書で「例示的」として記載される任意の態様は、必ずしも、他の態様よりも好ましいまたは有利であると解釈されるべきでない。別段に明記されていない限り、「いくつか（ｓｏｍｅ）」という語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」などの組合せは、Ａ、Ｂ、および／またはＣの任意の組合せを含み、複数のＡ、複数のＢ、または複数のＣを含むことができる。具体的には、「Ａ、Ｂ、またはＣのうちの少なくとも１つ」、「Ａ、Ｂ、およびＣのうちの少なくとも１つ」、「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、ＡおよびＢおよびＣとすることができ、任意のそのような組合せは、Ａ、Ｂ、またはＣのうちの１つまたは複数のメンバを含むことができる。本開示全体にわたって説明される種々の態様の要素に対するすべての構造的および機能的均等物は、当業者には既知であるか、または後に既知になり、参照により本明細書に明確に組み込まれ、特許請求の範囲によって包含されることを意図する。さらに、本明細書において開示するいかなることも、そのような開示が特許請求の範囲に明示的に記載されているか否かにかかわらず、公に供するものではない。いかなるクレーム要素も、その要素が「ための手段」という句を使用して明確に列挙されていない限り、ミーンズプラスファンクションとして解釈されるべきではない。
以下に本願の出願当初の特許請求の範囲に記載された発明を付記する。
［Ｃ１］
第１のノードにおける通信の方法であって、
第２のノードからパケットを受信することと、
前記受信されたパケットがクエリパケットであることを決定することと、前記クエリパケットが、少なくともトランザクション識別子を示す情報を含む、
前記クエリパケットに含まれる前記情報に基づいてトランザクションタイプを決定することと、
前記トランザクションタイプまたはトランザクション識別子のうちの少なくとも１つに基づいて応答パケットを送信するかどうかを決定することと、
前記応答を送信することを決定したことに応答して前記第２のノードに応答パケットを送信することと
を備える方法。
［Ｃ２］
少なくとも前記トランザクションタイプに基づいて前記クエリパケットに応答して応答パケットの送信を抑制するかどうかを決定することを備えるＣ１に記載の方法。
［Ｃ３］
前記応答パケットを送信するかどうかの前記決定が、物理（ＰＨＹ）層、媒体アクセス制御（ＭＡＣ）層、またはリンク層のうちの少なくとも１つにおいて実行される、Ｃ１に記載の方法。
［Ｃ４］
前記パケットがクエリであるか応答であるかを示すパケットタイプ情報を前記パケットが含み、前記受信されたパケット内の前記パケットタイプ情報に基づいて前記受信されたパケットがクエリパケットであると決定される、Ｃ１に記載の方法。
［Ｃ５］
前記トランザクションタイプが、
前記クエリパケットが１つのノードに応答を要求する、
前記クエリパケットが１組のノードのうちの任意のノードに応答を要求する、
前記クエリパケットが、Ｎ個のノードのうちの任意のＭ個のノードに応答を要求する、ここにおいて、ＮはＭよりも大きい、または
前記クエリパケットが１組のノードの各ノードに応答を要求する
のうちの１つを示す、Ｃ１に記載の方法。
［Ｃ６］
前記クエリパケットがアドレスをさらに含み、前記第１のノードが、前記クエリパケットがあるノードに応答を要求し、前記アドレスが前記第１のノードに関連付けられていることを前記トランザクションタイプが示すときに前記応答パケットを送信することを決定する、Ｃ５に記載の方法。
［Ｃ７］
前記クエリパケットが、トランザクション識別子をさらに含み、前記クエリパケットが１組のノードのうちの任意のノードに応答を要求することを前記トランザクションタイプが示し、
前記方法が、
前記応答パケット内のトランザクション識別子が前記クエリパケット内の前記トランザクション識別子と一致するかどうかに基づいて、前記第２のノードからの前記クエリパケットに応答して、応答パケットが別のノードによって送信されるかどうかを決定すること、
ここにおいて、前記第１のノードが、前記クエリパケットに応答して応答パケットが前記別のノードによって送信されると決定したことに応答して、前記応答パケットの前記送信を抑制することを決定する、
ここにおいて、前記第１のノードが、前記クエリパケットに応答して応答パケットが前記別のノードによって送信されないと決定したことに応答して、前記応答パケットを送信することを決定する、
を備える、Ｃ５に記載の方法。
［Ｃ８］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、Ｃ７に記載の方法。
［Ｃ９］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、Ｃ７に記載の方法。
［Ｃ１０］
前記クエリパケットが、トランザクション識別子をさらに含み、前記クエリパケットがＮ個のノードのうちの任意のＭ個のノードに応答を要求することを前記トランザクションタイプが示し、
前記方法が、
前記応答パケットの各々の中のトランザクション識別子が前記クエリパケット内の前記トランザクション識別子と一致するかどうかに基づいて、前記第２のノードからの前記クエリパケットに応答して、Ｍ個の応答パケットが前記Ｎ個のノードのうちのＭ個のノードによって送信されるかどうかを決定すること、ここにおいて、前記Ｍ個の応答パケットが、互いに区別され、
ここにおいて、前記第１のノードが、前記クエリパケットに応答してＭ個の応答パケットが前記Ｍ個のノードによって送信されると決定したことに応答して、前記応答パケットの前記送信を抑制することを決定する、
ここにおいて、前記第１のノードが、前記クエリパケットに応答して応答パケットが前記Ｎ個のノードのうちのＭ個未満のノードによって送信されると決定したことに応答して、前記応答パケットを送信することを決定する、
をさらに備える、
Ｃ５に記載の方法。
［Ｃ１１］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、Ｃ１０に記載の方法。
［Ｃ１２］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、Ｃ１０に記載の方法。
［Ｃ１３］
前記クエリパケットがアドレスをさらに含み、前記第１のノードが、前記クエリパケットが１組のノードの各ノードに応答を要求することを前記トランザクションタイプが示すとき、前記応答パケットを送信することを決定する、ここにおいて、前記アドレスが、前記１組のノードを示し、前記第１のノードが、前記１組のノード内にある、
Ｃ５に記載の方法。
［Ｃ１４］
第１のノードにおける通信の方法であって、
上位層から、および物理（ＰＨＹ）層、媒体アクセス制御（ＭＡＣ）層、またはリンク層のうちの少なくとも１つにおいて、トランザクションタイプと、前記トランザクションタイプに関連付けられたデータとを受信することと、
前記データについてのトランザクション識別子を取得することと、
前記ＰＨＹ層、前記ＭＡＣ層、または前記リンク層のうちの前記１つにおいて、前記トランザクションタイプ、前記データ、パケットタイプ、および前記トランザクション識別子を含むようにクエリパケットを準備することと、ここにおいて、前記パケットタイプが、前記クエリパケットがクエリであることを示し、ここにおいて、前記トランザクションタイプが、（ａ）前記クエリパケットが１つのノードに応答を要求する、（ｂ）前記クエリパケットが１組のノードのうちの任意のノードに応答を要求する、（ｃ）前記クエリパケットが、Ｎ個のノードのうちの任意のＭ個のノードに応答を要求する、ここにおいて、ＮがＭよりも大きい、または（ｄ）前記クエリパケットが１組のノードの各ノードに応答を要求する、のうちの１つを示す、
前記クエリパケットを送信することと
を備える、方法。
［Ｃ１５］
前記上位層からの前記クエリパケットが、前記トランザクションタイプおよび前記パケットタイプを含み、前記トランザクション識別子が、前記ＰＨＹ層、前記ＭＡＣ層、または前記リンク層において取得される、Ｃ１４に記載の方法。
［Ｃ１６］
少なくとも１つの第２のノードからの前記クエリパケットに応答して、少なくとも１つの応答パケットを受信することをさらに含み、前記少なくとも１つの応答パケットの各々が前記トランザクション識別子を含む、Ｃ１４に記載の方法。
［Ｃ１７］
第１のノードにおける通信の方法であって、
第２のノードからクエリパケットを受信することと、ここにおいて、クエリパケットが、
前記クエリパケットが関連付けられている第１のトランザクションの指示と、
前記第１のトランザクションに関連付けられたＭ個の応答パケットが前記第２のノードによって要求されたことの指示と、Ｍは０よりも大きい整数である、
チャネル上で前記Ｍ個の応答パケットを前記第２のノードに送信するために割り振られた時間期間の指示と、
少なくともＭ個のタイムスロットを割り振るために使用されるチャネル割当て機構または競合機構のうちの少なくとも１つの指示と、を含む、
競合機構またはチャネル割当て機構のうちの前記示された少なくとも１つに従ってチャネルにアクセスするための前記示された時間期間に割り振られた前記少なくともＭ個のタイムスロットから第１のタイムスロットを取得することと、
前記第１のタイムスロットにおいて、前記第１のトランザクションに関連付けられた前記Ｍ個の応答パケットのうちの第１の応答パケットを前記チャネル上で前記第２のノードに送信することと
を備える、方法。
［Ｃ１８］
前記Ｍ個の応答パケットの各々が、前記Ｍ個の応答パケットの残りの前記識別ＩＤと区別するそれぞれの識別ＩＤを含む、Ｃ１７に記載の方法。
［Ｃ１９］
前記チャネル割当て機構が、前記少なくともＭ個のタイムスロットの割振りを拡散する拡散機構であり、前記第１のタイムスロットが、前記拡散機構に従って取得される、Ｃ１７に記載の方法。
［Ｃ２０］
前記第１のタイムスロットが、前記第１のノードが他のノードと前記少なくともＭ個のタイムスロットのうちの１つのタイムスロットについて競合する前記競合機構に従って取得され、前記方法が、
別のノードから前記第２のノードへの前記第１のトランザクションに関連付けられた前記Ｍ個の応答パケットの第２の応答パケットの送信を検出することと、
前記第１のタイムスロットを取得するために前記第２の応答パケットの前記送信に続く前記少なくともＭ個のタイムスロットのうちの１つのタイムスロットを決定することと
をさらに備える、Ｃ１７に記載の方法。
［Ｃ２１］
前記第１のタイムスロットが、物理（ＰＨＹ）層、媒体アクセス制御（ＭＡＣ）層、またはリンク層において取得される、Ｃ１７に記載の方法。
［Ｃ２２］
前記チャネルが前記第１のタイムスロットで利用可能であると決定することをさらに備える、Ｃ１７に記載の方法。
［Ｃ２３］
通信のための装置であって、前記装置が第１のノードであって、
メモリと、
前記メモリに結合された少なくとも１つのプロセッサと
を備え、前記少なくとも１つのプロセッサが、
第２のノードからパケットを受信し、
前記受信されたパケットがクエリパケットであることを決定し、前記クエリパケットが、少なくともトランザクション識別子を示す情報を含む、
前記クエリパケットに含まれる前記情報に基づいてトランザクションタイプを決定し、
物理（ＰＨＹ）層、媒体アクセス制御（ＭＡＣ）層、またはリンク層のうちの少なくとも１つにおいて、前記トランザクションタイプまたはトランザクション識別子のうちの少なくとも１つに基づいて応答パケットを送信するかどうかを決定し、
前記応答を送信することを決定したことに応答して前記第２のノードに応答パケットを送信する
ように構成される、
装置。
［Ｃ２４］
前記トランザクションタイプが、
前記クエリパケットが１つのノードに応答を要求する、
前記クエリパケットが１組のノードのうちの任意のノードに応答を要求する、
前記クエリパケットが、Ｎ個のノードのうちの任意のＭ個のノードに応答を要求する、ここにおいて、ＮはＭよりも大きい、または
前記クエリパケットが１組のノードの各ノードに応答を要求する
のうちの１つを示す、Ｃ２３に記載の装置。
［Ｃ２５］
前記クエリパケットがアドレスをさらに含み、前記少なくとも１つのプロセッサが、前記クエリパケットがあるノードに応答を要求し、前記アドレスが前記第１のノードに関連付けられていることを前記トランザクションタイプが示すときに前記応答パケットを送信することを決定するようにさらに構成される、Ｃ２４に記載の装置。
［Ｃ２６］
前記クエリパケットが、トランザクション識別子をさらに含み、前記クエリパケットが１組のノードのうちの任意のノードに応答を要求することを前記トランザクションタイプが示し、前記少なくとも１つのプロセッサが、
前記応答パケット内のトランザクション識別子が前記クエリパケット内の前記トランザクション識別子と一致するかどうかに基づいて、前記第２のノードからの前記クエリパケットに応答して、応答パケットが別のノードによって送信されるかどうかを決定し、
前記クエリパケットに応答して応答パケットが前記別のノードによって送信されると決定したことに応答して、前記応答パケットの前記送信を抑制することを決定し、
前記クエリパケットに応答して応答パケットが前記別のノードによって送信されないと決定したことに応答して、前記応答パケットを送信することを決定する
ようにさらに構成される、Ｃ２４に記載の装置。
［Ｃ２７］
前記クエリパケットが、トランザクション識別子をさらに含み、前記クエリパケットがＮ個のノードのうちの任意のＭ個のノードに応答を要求することを前記トランザクションタイプが示し、
前記少なくとも１つのプロセッサが、
前記応答パケットの各々の中のトランザクション識別子が前記クエリパケット内の前記トランザクション識別子と一致するかどうかに基づいて、前記第２のノードからの前記クエリパケットに応答して、Ｍ個の応答パケットが前記Ｎ個のノードのうちのＭ個のノードによって送信されるかどうかを決定し、ここにおいて、前記Ｍ個の応答パケットが、互いに区別され、
前記クエリパケットに応答してＭ個の応答パケットが前記Ｍ個のノードによって送信されると決定したことに応答して、前記応答パケットの前記送信を抑制することを決定し、
前記クエリパケットに応答して応答パケットが前記Ｎ個のノードのうちのＭ個未満のノードによって送信されると決定したことに応答して、前記応答パケットを送信することを決定する
ようにさらに構成される、
Ｃ２４に記載の装置。
［Ｃ２８］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信する前に、前記応答パケットの前記送信を抑制することを決定する、Ｃ２７に記載の装置。
［Ｃ２９］
前記応答パケットの前記送信を抑制すると決定すると、物理（ＰＨＹ）層、媒体アクセス制御（ＭＡＣ）層、またはリンク層のうちの少なくとも１つが、前記受信されたクエリパケットを上位層に通信した後、および前記上位層からの送信のための前記応答パケットを受信した後、前記応答パケットの前記送信を抑制することを決定する、Ｃ２７に記載の装置。
［Ｃ３０］
前記クエリパケットがアドレスをさらに含み、前記少なくとも１つのプロセッサが、前記クエリパケットが１組のノードの各ノードに応答を要求することを前記トランザクションタイプが示すとき前記応答パケットを送信することを決定するようにさらに構成され、ここで、前記アドレスが前記１組のノードを示し、前記第１のノードが前記１組のノード内にある、Ｃ２４に記載の装置。